(57)【要約】      （修正有）【課題】優れたフレキシブル性と均一な輝度とを有し、かつ発光方向において、ほとんど限定されることのないフレキシブル発光装置を提供する。【解決手段】サイド発光フレキシブル導光ロッド１３０が第１端と第１端に対向する第２端と第１端および第２端に連接する発光表面とを有する。ＬＥＤ１１０，２１０がそれぞれサイド発光フレキシブル導光ロッドの第１端および第２端のそばに配置されるとともに、それぞれ光線ビームＢ１，Ｂ２を前記サイド発光フレキシブル導光ロッドへ発射することに適している。レンズ１２０の１つが第１端および第１端のそばに配置されたＬＥＤ間に位置するとともに、レンズ２２０の他の１つが第２端および第２端のそばに配置されたＬＥＤ間に位置する。各光線ビームがそれぞれ対応するレンズを介してサイド発光フレキシブル導光ロッドへ進入するとともに、発光表面を介してサイド発光フレキシブル導光ロッド１３０の外側へ発射される。【選択図】図３
0003155919.tif 000002
【実用新案登録請求の範囲】
【請求項１】
第１端、前記第１端に対向する第２端、および前記第１端ならびに前記第２端に連接する発光表面を有するサイド発光フレキシブル導光ロッドと、
それぞれ前記第１端および前記第２端のそばに配置されるとともに、それぞれ光線ビームを前記サイド発光フレキシブル導光ロッドへ発射することに適した２つの発光ダイオード（ＬＥＤ）と、
前記レンズの１つが前記第１端および前記第１端のそばに配置されたＬＥＤ間に位置し、前記レンズの他の１つが前記第２端および前記第２端のそばに配置されたＬＥＤ間に位置する２つのレンズと
を備え、
各光線ビームがそれぞれ対応する前記レンズを介して前記サイド発光フレキシブル導光ロッドへ進入するとともに、前記発光表面を介して前記サイド発光フレキシブル導光ロッドの外側へ発射されるフレキシブル発光装置。
【請求項２】
前記ＬＥＤの輝度がその最大輝度の半分である時、前記ＬＥＤの視角が１３０度より大きくないものである請求項１記載のフレキシブル発光装置。
【請求項３】
前記レンズが前記光線ビームを焦点合わせする機能を有するとともに、その焦点距離が２０ミリメートルより長くないものである請求項１記載のフレキシブル発光装置。
【請求項４】
前記レンズの材料が、ガラス、プラスチックまたは樹脂である請求項１記載のフレキシブル発光装置。
【請求項５】
前記各レンズの表面が、それぞれ光学薄膜により蒸着されるとともに、前記光学薄膜が所定波長により色彩光線ビームを濾過するために又は所定波長により色彩光線ビームを通過させるために使用されるものである請求項１記載のフレキシブル発光装置。
【請求項６】
前記各レンズおよびそれに対応する前記ＬＥＤ間の距離が１．５ミリメートルより長くないものである請求項１記載のフレキシブル発光装置。
【請求項７】
更に、２つの光学フィルターを備え、前記各光学フィルターがそれぞれ前記１つのレンズおよびそれに対応するＬＥＤ間、または前記レンズおよび前記サイド発光フレキシブル導光ロッド間に配置されるものである請求項１記載のフレキシブル発光装置。
【請求項８】
前記各レンズおよび前記サイド発光フレキシブル導光ロッド間の距離が１．５ミリメートルより長くないものである請求項１記載のフレキシブル発光装置。
【請求項９】
前記サイド発光フレキシブル導光ロッドが、
前記サイド発光フレキシブル導光ロッドの前記第１端から第２端へ延伸する導光コアと、
前記導光コアを包囲するとともに、前記サイド発光フレキシブル導光ロッドの前記第１端から第２端へ延伸する発光層とを備え、可視光線に対する前記導光コアの屈折率が前記可視光線に対する前記発光層の屈折率より大きいものである請求項１記載のフレキシブル発光装置。
【請求項１０】
前記導光コアの材料が、異なる比率でのメチルメタクリレート（ＭＭＡ）、ノーマルブチル（ボルニル）メタクリレート（ＢＭＡ）およびトリエチレングリコールジメタクリレート（３ＥＧＤＭＡ）より形成される共重合体ＭＭＡｘＢＭＡｙ３ＥＧＤＭＡ１−ｘ−ｙであり、ｘおよびｙが正数、そして０．２２≦ｘ≦０．３５ならびに０．４５≦ｙ≦０．６３である請求項９記載のフレキシブル発光装置。
【請求項１１】
前記発光層の材料が、テトラ・フロロ・エチレン、パーフルオロ・アルコキシ、またはフッ素化プロピレンエチレンである請求項９記載のフレキシブル発光装置。
【請求項１２】
直径６〜１５マイクロメートルおよび０．０１％〜０．０３％の重量パーセントを有するメチルメタクリレートスチレン（ＭＳ）の顆粒が、前記導光コア中にドープされ、かつ均一に分布されるものである請求項９記載のフレキシブル発光装置。
【請求項１３】
前記発光層が、カラーパウダーを有するものである請求項９記載のフレキシブル発光装置。
【請求項１４】
更に、２つのパッケージハウジングを備えて、前記各パッケージハウジングがそれぞれ前記ＬＥＤの１つ及びそれに対応する前記レンズを収容するために使用されるものである請求項１記載のフレキシブル発光装置。
【請求項１５】
更に、２つの固定ベースを備えて、前記各固定ベースがそれぞれ対応する前記パッケージハウジングに連接され、前記パッケージハウジングが前記固定ベースの湾曲により基礎に固定され、前記ＬＥＤにより発生した熱が前記基礎を介して環境中へ放出される請求項１４記載のフレキシブル発光装置。
【請求項１６】
前記各固定ベースが、対応する前記パッケージハウジングと一体的に形成されるものである請求項１５記載のフレキシブル発光装置。
【考案の詳細な説明】
【技術分野】
【０００１】
この考案は、発光装置に関し、特に、均一な輝度を有するフレキシブル発光装置に関する。
【背景技術】
【０００２】
近年、発光ダイオード（Light Emitting Diode = LED）の輝度（luminance）が増大しているので、ＬＥＤが多くの領域で次第に従来の光源に置き換えられている。発光ダイオードの輝度は、加熱発光または放電によるものではなく、冷光（cold light）エミッションによるため、ＬＥＤの使用寿命が１０万時間以上である。また、ＬＥＤは、非常に短い応答時間（約１０−９秒）、小型、低い電力消費、低い汚染、高い信頼性、量産に適するなどの利点を有している。それ故に、ＬＥＤは、多くの領域で広範に使用することができる。しかし、ＬＥＤは、点光源であり、かつ高い指向性を有するので、ＬＥＤからの光線ビームが高度に集束し、ＬＥＤの輝き（brightness）が集中してしまう。従って、ＬＥＤの応用が限定される。そこで、集束された光線ビームを如何に均一にガイドするかがＬＥＤ発光装置として高度に発展させるべき主要課題の１つとなっている。
【考案の概要】
【考案が解決しようとする課題】
【０００３】
図１は、従来のフレキシブルＬＥＤネオンランプにかかるフレキシブル印刷回路板およびＬＥＤを示す斜視図である。図１において、従来のフレキシブルＬＥＤネオンランプは、フレキシブル印刷回路板５０を使用して単一カラーまたは異なるカラーを有するＬＥＤ６０を支えている。また、フレキシブル印刷回路板５０およびＬＥＤ６０が散乱層により被包され、ＬＥＤ６０から放出される光線ビームが均一になる。
【０００４】
しかし、フレキシブル印刷回路板５０がプレートなので、幅の方向に平行な軸Ａ１から方向Ｄ１へ曲げるのは容易であるが、厚さの方向に平行な軸Ａ２から方向Ｄ２に曲げるのは困難である。従来のフレキシブルＬＥＤネオンランプのフレキシブルさは、上記した現象のために大きく制限される。更に、ＬＥＤ６０が表面５２だけに配置され、表面５４に配置されていないため、従来のフレキシブルＬＥＤネオンランプの発光方向が大きく制限され、従来のフレキシブルＬＥＤネオンランプの応用ならびにフレキシブルさが大幅に限定される。
【考案の目的】
【０００５】
この考案の実施形態は、優れたフレキシブル性と均一な輝度とを有するとともに、発光方向において、ほとんど限定されることのないフレキシブル発光装置を提供する。
【課題を解決するための手段】
【０００６】
この考案の実施形態は、サイド発光フレキシブル導光ロッドと、２つのＬＥＤと、２つのレンズとを含むフレキシブル発光装置を提供する。サイド発光フレキシブル導光ロッドは、第１端と、第１端に対向する第２端と、第１端および第２端に連接する発光表面とを有する。２つのＬＥＤがそれぞれサイド発光フレキシブル導光ロッドの第１端および第２端のそばに配置されるとともに、それぞれ光線ビームを前記サイド発光フレキシブル導光ロッドへ発射することに適している。上記したレンズの１つが第１端および第１端のそばに配置されたＬＥＤ間に位置するとともに、上記したレンズの他の１つが第２端および第２端のそばに配置されたＬＥＤ間に位置する。各光線ビームがそれぞれ対応するレンズを介してサイド発光フレキシブル導光ロッドへ進入するとともに、発光表面を介してサイド発光フレキシブル導光ロッドの外側へ発射される。
【０００７】
この考案の実施形態中、ＬＥＤの輝度がその最大輝度の半分である時、ＬＥＤの視角が１３０度より大きくないものである。
【０００８】
この考案の実施形態中、レンズが光線ビームを焦点合わせする機能を有するとともに、その焦点距離が２０ミリメートルより長くないものである。
【０００９】
この考案の実施形態中、レンズの材料が、ガラス、プラスチックまたは樹脂である。
【００１０】
この考案の実施形態中、レンズの各表面が、それぞれ光学薄膜により蒸着される。光学薄膜が所定波長により色彩光線ビームを濾過するために又は所定波長により色彩光線ビームを通過させるために使用されるものである。
【００１１】
この考案の実施形態中、各レンズおよびそれに対応するＬＥＤ間の距離が１．５ミリメートルより長くないものである。
【００１２】
この考案の実施形態中、フレキシブル発光装置が更に２つの光学フィルターを備える。各光学フィルターがそれぞれ１つのレンズおよびそれに対応するＬＥＤ間、またはレンズおよびサイド発光フレキシブル導光ロッド間に配置されるものである。
【００１３】
この考案の実施形態中、各レンズおよびサイド発光フレキシブル導光ロッド間の距離が１．５ミリメートルより長くないものである。
【００１４】
この考案の実施形態中、サイド発光フレキシブル導光ロッドが導光コアと発光層とを含む。導光コアがサイド発光フレキシブル導光ロッドの第１端から第２端へ延伸する。発光層が導光コアを包囲するとともに、サイド発光フレキシブル導光ロッドの第１端から第２端へ延伸する。ここで、可視光線に対する導光コアの屈折率が可視光線に対する発光層の屈折率より大きいものである。
【００１５】
この考案の実施形態中、導光コアの材料が、異なる比率でのメチルメタクリレート（ＭＭＡ）、ノーマルブチル（ボルニル）メタクリレート（ＢＭＡ）およびトリエチレングリコールジメタクリレート（３ＥＧＤＭＡ）より形成される共重合体ＭＭＡｘＢＭＡｙ３ＥＧＤＭＡ１−ｘ−ｙであり、ｘおよびｙが正数、そして０．２２≦ｘ≦０．３５ならびに０．４５≦ｙ≦０．６３である。
【００１６】
この考案の実施形態中、発光層の材料が、テトラ・フロロ・エチレン、パーフルオロ・アルコキシ、またはフッ素化プロピレンエチレンである。
【００１７】
この考案の実施形態中、直径６〜１５マイクロメートルおよび０．０１％〜０．０３％の重量パーセントを有するメチルメタクリレートスチレン（ＭＳ）の顆粒が、導光コア中にドープされ、かつ均一に分布されるものである。
【００１８】
この考案の実施形態中、発光層が、カラーパウダーを有するものである。
【００１９】
この考案の実施形態中、フレキシブル発光装置が更に２つのパッケージハウジングを備えて、各パッケージハウジングがそれぞれＬＥＤの１つ及びそれに対応するレンズを収容するために使用されるものである。
【００２０】
この考案の実施形態中、フレキシブル発光装置が更に２つの固定ベースを含む。各固定ベースがそれぞれ対応するパッケージハウジングに連接され、パッケージハウジングが固定ベースの湾曲により基礎に固定され、ＬＥＤにより発生した熱が基礎を介して周囲へ放出される。
【００２１】
この考案の実施形態中、各固定ベースが、対応するパッケージハウジングと一体的に形成されるものである。
【作用】
【００２２】
以上の観点から、この考案の実施形態にかかるフレキシブル発光装置は、サイド発光フレキシブル導光ロッドを使用して光線ビームをガイドするとともに、ＬＥＤがそれぞれサイド発光フレキシブル導光ロッド両端のそばに配置される。サイド発光フレキシブル導光ロッドがロッドなので、サイド発光フレキシブル導光ロッドの延伸方向に対して垂直な任意の方向において曲げることができ、サイド発光フレキシブル導光ロッドがより良いフレキシブル性を有するものとなる。また、ＬＥＤから発射される光線ビームがサイド発光フレキシブル導光ロッドの発光表面から均一に放射されるため、サイド発光フレキシブル導光ロッドの発光方向がより制限されにくい。
【考案の効果】
【００２３】
つまり、この考案の実施形態のフレキシブル発光装置は、サイド発光フレキシブル導光ロッドを使用して光線ビームをガイドし、かつＬＥＤがそれぞれサイド発光フレキシブル導光ロッド両端に配置される。サイド発光フレキシブル導光ロッドがプレート（平板状）ではなく、サイド発光フレキシブル導光ロッドの延伸方向に対して垂直な任意の方向において曲げることができるため、サイド発光フレキシブル導光ロッドがより良いフレキシブル性を有するものとなる。また、ＬＥＤから発射される光線ビームがサイド発光フレキシブル導光ロッドの発光表面から均一に放射されるので、サイド発光フレキシブル導光ロッドの発光方向がより制限されない。更に、この考案の実施形態にかかるフレキシブル発光装置において、フレキシブル発光装置が曲げられた時、光漏れがフレキシブル発光装置の曲げられた部分で発生しにくい。従って、この考案の実施形態のフレキシブル発光装置が曲げられたとしても、フレキシブル発光装置から発射された光線ビームは、なお高い均一な輝度（brightness）を持つことができる。
【図面の簡単な説明】
【００２４】
【図１】従来のフレキシブルＬＥＤネオンランプにかかるフレキシブル印刷回路板およびＬＥＤを示す斜視図である。
【図２】この考案の実施形態にかかるフレキシブル発光装置を示す斜視図である。
【図３】この考案のフレキシブル発光装置の実施形態にかかる光源モジュールを示す概略説明図である。
【図４】図３で説明した光源モジュールのサイド発光フレキシブル導光ロッドを示す概略説明図である。
【図５Ａ】図３で説明した光源モジュールの相対的な位置1-11での照度分布を示す折れ線グラフである。図５Ａの照度分布は、光源モジュールを計測することにより得られたものであるとともに、光源モジュールが視角２５度を持つＬＥＤならびに異なるタイプのレンズを有する。
【図５Ｂ】図３で説明した光源モジュールの相対的な位置1-11での照度分布を示す折れ線グラフである。図５Ｂの照度分布は、光源モジュールを計測することにより得られたものであるとともに、光源モジュールが視角４５度を持つＬＥＤならびに異なるタイプのレンズを有する。
【図５Ｃ】図３で説明した光源モジュールの相対的な位置1-11での照度分布を示す折れ線グラフである。図５Ｃの照度分布は、光源モジュールを計測することにより得られたものであるとともに、光源モジュールが視角８０度を持つＬＥＤならびに異なるタイプのレンズを有する。
【図５Ｄ】図３で説明した光源モジュールの相対的な位置1-11での照度分布を示す折れ線グラフである。図５Ｄの照度分布は、光源モジュールを計測することにより得られたものであるとともに、光源モジュールが視角１２０度を持つＬＥＤならびに異なるタイプのレンズを有する。
【図６】この考案の別な実施形態にかかるサイド発光フレキシブル導光ロッドを示す概略説明図である。
【図７Ａ】この考案の別な実施形態にかかる光源モジュールを示す概略説明図である。
【図７Ｂ】この考案の別な実施形態にかかる光源モジュールを示す概略説明図である。
【図７Ｃ】この考案の別な実施形態にかかる光源モジュールを示す概略説明図である。
【図８Ａ】この考案の別な実施形態にかかるフレキシブル発光装置を示す斜視図である。
【図８Ｂ】この考案の別な実施形態にかかるフレキシブル発光装置を示す平面図である。
【考案を実施するための形態】
【００２５】
以下、この考案を実施するための形態を図面に基づいて説明する。
図２は、この考案の実施形態にかかるフレキシブル発光装置を示す斜視図である。図２において、フレキシブル発光装置１００は、サイド発光フレキシブル導光ロッド１３０と、ＬＥＤ１１０，２１０と、レンズ１２０，２２０と、パッケージハウジング１０１，２０１とを含む（図３を参照）。
【００２６】
この実施形態中、パッケージハウジング１０１，２０１は、それぞれサイド発光フレキシブル導光ロッド１３０の両端に配置されてＬＥＤ１１０，２１０とレンズ１２０，２２０とを収容するとともに、共同でサイド発光フレキシブル導光ロッド１３０を挟み込んでいる。とりわけ、パッケージハウジング１０１，２０１とサイド発光フレキシブル導光ロッド１３０とが組み合わせられた後、フレキシブル発光装置１００が任意の形状に曲げられた時、パッケージハウジング１０１，２０１およびサイド発光フレキシブル導光ロッド１３０のセンターが偏りなく光軸上に留まっている。また、サイド発光フレキシブル導光ロッド１３０とＬＥＤ１１０，２１０とレンズ１２０，２２０とが一緒に１つの光源モジュールを構成する。
【００２７】
図３は、この考案のフレキシブル発光装置の実施形態にかかる光源モジュールを示す概略説明図であり、図４は、図３で説明した光源モジュールのサイド発光フレキシブル導光ロッドを示す概略説明図である。図３と図４とにおいて、この実施形態の光源モジュール２００は、サイド発光フレキシブル導光ロッド１３０と、ＬＥＤ１１０，２１０と、レンズ１２０，２２０とを含む。
【００２８】
この実施形態中、サイド発光フレキシブル導光ロッド１３０は、第１端１３１と、第１端１３１に対向する第２端１３２と、第１端１３１および第２端１３２に連接する発光表面１３３とを有する。ＬＥＤ１１０が第１端１３１のそばに配置され、かつレンズ１２０がＬＥＤ１１０および第１端１３１間に配置される。ここで、レンズ１２０とＬＥＤ１１０との距離が１．５ミリメートルよりも長くないとともに、レンズ１２０とサイド発光フレキシブル導光ロッド１３０との距離が１．５ミリメートルよりも長くない。ＬＥＤ１１０は、光線ビームＢ１をレンズ１２０へ発射するのに適している。光線ビームＢ１がレンズ１２０および第１端１３１を通過して、第１端１３１からサイド発光フレキシブル導光ロッド１３０へ進入するとともに、発光表面１３３を通ってサイド発光フレキシブル導光ロッド１３０の外側へ発射される。
【００２９】
同様に、ＬＥＤ２１０が第２端１３２のそばに配置され、かつレンズ２２０がＬＥＤ２１０および第２端１３２間に配置される。ここで、レンズ２２０とＬＥＤ２１０との距離が１．５ミリメートルよりも長くないとともに、レンズ２２０とサイド発光フレキシブル導光ロッド１３０との距離が１．５ミリメートルよりも長くない。ＬＥＤ２１０は、光線ビームＢ２をレンズ２２０へ発射するのに適している。光線ビームＢ２がレンズ２２０および第２端１３２を通過して、第２端１３２からサイド発光フレキシブル導光ロッド１３０へ進入するとともに、発光表面１３３を通ってサイド発光フレキシブル導光ロッド１３０の外側へ発射される。この実施形態中、レンズ１２０，２２０が光線ビームを集光する機能を有するとともに、レンズ１２０，２２０の焦点距離が２０ミリメートル（millimeter）よりも長くない。また、レンズ１２０，２２０の材料が例えばガラス、プラスチックまたは樹脂である。
【００３０】
図４において、この実施形態中、サイド発光フレキシブル導光ロッド１３０が導光コア１３４と発光層１３５とを含む。導光コア１３４がサイド発光フレキシブル導光ロッド１３０の第１端１３１から第２端１３２へ延伸される。発光層１３５が導光コア１３４を包囲し、かつ第１端１３１から第２端１３２へ延伸する。可視光線に対する導光コア１３４の屈折率が、可視光線に対する発光層１３５の屈折率より大きいので、光線ビームＢ１，Ｂ２の一部を発光層１３５へ伝送できる。その結果、光線ビームＢ１，Ｂ２が発光層１３５から発光表面１３３を通過するとともに、サイド発光フレキシブル導光ロッド１３０の外側へ伝送される。また、この実施形態中、導光コア１３４がその中に均一に分布された小さなポリマー顆粒１３６を有する。可視光線に対するポリマー顆粒１３６の屈折率が導光コア１３４のそれとは異なっている。ポリマー顆粒１３６は、入射する光線ビームＢ１，Ｂ２の伝送方向を変えることができるため、光線ビームＢ１，Ｂ２が発光層１３５へ進入し、発光層１３５から発光表面１３３を通過するとともに、サイド発光フレキシブル導光ロッド１３０の外側へ伝送される。
【００３１】
この実施形態中、導光コア１３４の材料が異なる比率でのメチルメタクリレート（ＭＭＡ）、ノーマルブチル（ボルニル）メタクリレート（ＢＭＡ）およびトリエチレングリコールジメタクリレート（３ＥＧＤＭＡ）より形成される共重合体ＭＭＡｘＢＭＡｙ３ＥＧＤＭＡ１−ｘ−ｙであり、ｘおよびｙが正数、そして０．２２≦ｘ≦０．３５ならびに０．４５≦ｙ≦０．６３である。また、小さなポリマー顆粒１３６が導光コア１３４中にドープされ、例えば、直径６〜１５マイクロメートル（micrometer）および０．０１％〜０．０３％の重量パーセントを有するメチルメタクリレートスチレン（ＭＳ = Methyl methacrylate Styrene）の顆粒であるとともに、その中に均一に分布される。更に、発光層１３５の材料がテトラ・フロロ・エチレン（Tetra-fluoro-ethylene）、パーフルオロ・アルコキシ（Per fluoro-alkoxy）、またはフッ素化プロピレンエチレン（Fluorinated propylene Ethylene）である。
【００３２】
図５Ａから図５Ｄは、図３で説明した光源モジュールの相対的な位置1-11での照度（illumination）分布を示す折れ線グラフである。図５Ａ〜５Ｄの照度分布は、それぞれ光源モジュールの照度を計測することにより得られたものであり、かつ光源モジュールが異なる視角を持つＬＥＤならびに異なるタイプのレンズを有する。図３と図５Ａ〜５Ｄとにおいて、図５Ａは、相対的な位置1-11での照度を計測することにより得られた照度分布を示す折れ線グラフであり、図３で説明した光源モジュール２００が視角２５度を持つＬＥＤおよび異なるタイプのレンズＡ１，Ａ２，Ａ３，Ａ４，Ａ５，Ａ６，Ａ７，Ａ８を有する。
【００３３】
例えば、図５ＡのデータポイントＭ１が相対的な位置10で計測して得られた照度値であり、レンズ１２０，２２０が同一タイプのレンズＡ３である。図５ＡのデータポイントＭ２が相対的な位置2で計測して得られた照度値であり、光源モジュール２００中、レンズ１２０，２２０がサイド発光フレキシブル導光ロッド１３０の両端１３１，１３２には配置されていない。
【００３４】
同様に、図５Ｂは、相対的な位置1-11での照度を計測することにより得られた照度分布を示す折れ線グラフであり、光源モジュール２００が視角４５度を持つＬＥＤおよび異なるタイプのレンズＢ１，Ｂ２，Ｂ３，Ｂ４，Ｂ５，Ｂ６，Ｂ７，Ｂ８を有する。図５Ｃは、相対的な位置1-11での照度を計測することにより得られた照度分布を示す折れ線グラフであり、光源モジュール２００が視角８０度を持つＬＥＤおよび異なるタイプのレンズＣ１，Ｃ２，Ｃ３，Ｃ４，Ｃ５，Ｃ６，Ｃ７，ＣＢ８を有する。図５Ｄは、相対的な位置1-11での照度を計測することにより得られた照度分布を示す折れ線グラフであり、光源モジュール２００が視角１２０度を持つＬＥＤおよび異なるタイプのレンズＥ１，Ｅ２，Ｅ３を有する。
【００３５】
図５Ａ〜５Ｄに示した輝度分布から分かることは、ＬＥＤ１１０，２１０がその最大輝度の半分である時、ＬＥＤ１１０，２１０の視角が１３０度より大きくないことである。また、ＬＥＤ１１０，２１０の視角が１３０度より大きくない時、類似した照度データが相対的な位置1-11で得られると同時に、光源モジュール２００が適当なタイプのレンズ１２０，２２０を有することができる。従って、均一な照度分布は、ライトカップリング光源モジュールを使用することによって保証される。すなわち、フレキシブル発光装置１００のサイド発光フレキシブル導光ロッド１３０の発光表面１３３から発射される光線ビームは、均一な輝度を有する。
【００３６】
図３と図４とにおいて、この実施形態のサイド発光フレキシブル導光ロッド１３０がロッドでありプレートではないため、サイド発光フレキシブル導光ロッド１３０の断面が円形であり、かつサイド発光フレキシブル導光ロッド１３０をその延伸方向に対し垂直な任意の方向において曲げることができ、サイド発光フレキシブル導光ロッド１３０がより優れたフレキシブル性を有する。また、ＬＥＤから発射される光線ビームがサイド発光フレキシブル導光ロッド１３０の発光表面１３３から均一に放射され、フレキシブル発光装置１００の発光方向がより制限されない。更に、サイド発光フレキシブル導光ロッド１３０の発光層１３５の優良な偏光特性に加えて、可視光線に対するサイド発光フレキシブル導光ロッド１３０の屈折率が、可視光線に対する発光層１３５の屈折率より小さい。その結果、フレキシブル発光装置１００が曲げられた時、フレキシブル発光装置の曲げられた部分、つまり湾曲部分に光漏れが発生しにくい。従って、フレキシブル発光装置１００が曲げられたとしても、フレキシブル発光装置１００から発射される光線ビームがなお高い均一な輝度を有している。
【００３７】
図６は、この考案の別な実施形態にかかるサイド発光フレキシブル導光ロッドを示す概略説明図である。図６において、この実施形態のサイド発光フレキシブル導光ロッド１３０’は、図３に示したサイド発光フレキシブル導光ロッド１３０に類似しており、その間の主要な差異は、サイド発光フレキシブル導光ロッド１３０’の発光層１３５’中に均一にドープされたカラーパウダー１３７にある。従って、光線ビームがドープされたカラーパウダー１３７により散乱されるとともに、特定のカラー光線ビームとなる。その後、カラー光線ビームが発光表面１３３を通過するとともに、サイド発光フレキシブル導光ロッド１３０’の外側へ伝送される。
【００３８】
一般的に、ＬＥＤから発射されるカラー光線ビームは、特定の波長にだけ対応する。例えば、市場に供給されるＬＥＤは、通常、赤光、黄光、黄緑光、緑光、青光または紫光である。また、赤光、緑光および青光を混合する必要なく白光ＬＥＤを使用することにより異なるカラーの光線ビームを得る時、光学フィルターを使用することができる。
【００３９】
図７Ａは、この考案の別な実施形態にかかる光源モジュールを示す概略説明図である。図７Ａにおいて、この実施形態の光源モジュール２００ａは、図３に示す光源モジュール２００に類似しており、主要な差異は、レンズ１２０ａ，２２０ａの表面１２３，２２３がそれぞれ光学薄膜を蒸着してあることである。光学薄膜は、所定波長でカラー光線ビームを濾過する又は所定波長でカラー光線ビームを通過させるために使用される。この実施形態中、ＬＥＤ１１０，２１０が例えば白光ＬＥＤであり、かつレンズ１２０ａ，２２０ａが２つの光学フィルターとなるよう光学薄膜を蒸着している。その結果、レンズ１２０ａ，２２０ａを介し、ＬＥＤ１１０，２１０から発射されるカラー光線ビームが濾過されるとともに、サイド発光フレキシブル導光ロッド１３０に入る前に、予め設定された波長を持つカラー光線ビームとなる。別な実施形態中、レンズ１２０ａ，２２０ａの表面１２２，２２２も同様にそれぞれ光学薄膜を蒸着する。図７Ｂは、この考案の別な実施形態にかかる光源モジュールを示す概略説明図である。図７Ｂにおいて、この実施形態の光源モジュール２００ｂは、図３に示す光源モジュール２００に類似しており、主要な差異は、この実施形態の光源モジュール２００ｂが更に２つの光学フィルター１２４，２２４を含むことにある。光学フィルター１２４，２２４がそれぞれＬＥＤ１１０およびレンズ１２０間、ならびにＬＥＤ２１０およびレンズ２２０間に配置される。従って、光学フィルター１２４，２２４を介して、ＬＥＤ１１０，２１０から発射されるカラー光線ビームが濾過され、かつサイド発光フレキシブル導光ロッド１３０に入る前に、予め設定された波長を持つカラー光線ビームとなる。
【００４０】
図７Ｃは、この考案の別な実施形態にかかる光源モジュールを示す概略説明図である。図７Ｃにおいて、この実施形態の光源モジュール２００ｃは、図７Ｂに示す光源モジュール２００に類似しており、主要な差異は、この実施形態の光源モジュール２００ｃが、光学フィルター１２４，２２４がそれぞれＬＥＤ１１０およびサイド発光フレキシブル導光ロッド１３０間、ならびにＬＥＤ２１０およびサイド発光フレキシブル導光ロッド１３０間に配置されることにある。同様に、光学フィルター１２４，２２４を介して、ＬＥＤ１１０，２１０から発射されるカラー光線ビームが濾過されるとともに、サイド発光フレキシブル導光ロッド１３０に入る前に、予め設定された波長を持つカラー光線ビームとなる。
【００４１】
図８Ａと図８Ｂとは、この考案の別な実施形態にかかるフレキシブル発光装置４００を示す斜視図と平面図である。図８Ａと図８Ｂとにおいて、この実施形態のフレキシブル発光装置４００は、図２に示すフレキシブル発光装置１００に類似しており、主要な差異は、この実施形態のフレキシブル発光装置４００が更に２つの固定ベース４５１，５５１を含むことにあり、そのうち、各固定ベース４５１，５５１がそれぞれ対応するパッケージハウジングに連接されている。この実施形態中、固定ベース４５１，５５１がそれぞれビス孔４５３，４５４およびビス孔５５３，５５４を含む。
【００４２】
その結果、固定ベース４５１，５５１を介して、フレキシブル発光装置４００を特定の基礎上に固定できる。従って、ＬＥＤから発生される熱は、パッケージハウジング４０１，５０１の表面４５０，５５０から環境中へ直接放出されるだけでなく、パッケージハウジング４０１，５０１の表面４５０，５５０を通じて固定ベース４５１，５５１および特定の基礎へ、更に環境中へ伝導される。また、パッケージハウジング４０１，５０１とサイド発光フレキシブル導光ロッド１３０とが組み立てられた後、フレキシブル発光装置４００がある形状に曲げられた時、パッケージハウジング４０１，５０１およびサイド発光フレキシブル導光ロッド１３０のセンターが偏りなく光軸上に留まっている。別な実施形態中、固定ベースを対応するパッケージハウジングと一体的に形成することができる。
【００４３】
上記からみれば、この考案の実施の形態のフレキシブル発光装置は、サイド発光フレキシブル導光ロッドを利用して光線ビームをガイドし、ＬＥＤはサイド発光フレキシブル導光ロッドの2端にそれぞれ配置される。サイド発光フレキシブル導光ロッドは、ロッドでありプレートではないので、サイド発光フレキシブル導光ロッドをその延伸方向に対し垂直な任意の方向において曲げることができ、サイド発光フレキシブル導光ロッドはより優れたフレキシブル性を有する。またＬＥＤから発射される光線ビームは、サイド発光フレキシブル導光ロッドの発光表面から均一に放射され、サイド発光フレキシブル導光ロッドの発光方向は、より制限されない。また、この考案の実施の形態のサイド発光フレキシブル導光ロッドは、フレキシブル発光装置が曲げられたとき、フレキシブル発光装置の曲げられた部分に光漏れが発生しにくい。従って、この考案の実施形態のフレキシブル発光装置が曲げられたとしても、フレキシブル発光装置から発射される光線ビームは、なお高い均一な輝き度を有している。
【００４４】
以上のごとく、この考案を実施形態により開示したが、もとより、この考案を限定するためのものではなく、当業者であれば容易に理解できるように、この考案の技術思想の範囲内において、適当な変更ならびに修正が当然なされうるものであるから、その特許権保護の範囲は、特許請求の範囲および、それと均等な領域を基準として定めなければならない。
【符号の説明】
【００４５】
１００，４００  フレキシブル発光装置
１０１，２０１，４０１，５０１  パッケージハウジング
１２０，２２０，１２０ａ，２２０ａ  レンズ
１２４，２２４  光学フィルター
１３０，１３０’  サイド発光フレキシブル導光ロッド
１３４  導光コア
１３５  発光層
１３６  ポリマー顆粒
２００，２００ａ，２００ｂ，２００ｃ  光源モジュール
４５１，５５１  固定ベース
Ｂ１，Ｂ２  光線ビーム
【図１】
0003155919.tif 000003
【図２】
0003155919.tif 000004
【図３】
0003155919.tif 000005
【図４】
0003155919.tif 000006
【図５Ａ】
0003155919.tif 000007
【図５Ｂ】
0003155919.tif 000008
【図５Ｃ】
0003155919.tif 000009
【図５Ｄ】
0003155919.tif 000010
【図６】
0003155919.tif 000011
【図７Ａ】
0003155919.tif 000012
【図７Ｂ】
0003155919.tif 000013
【図７Ｃ】
0003155919.tif 000014
【図８Ａ】
0003155919.tif 000015
【図８Ｂ】
0003155919.tif 000016
【手続補正書】
【提出日】平成21年10月2日(2009.10.2)
【手続補正１】
【補正対象書類名】実用新案登録請求の範囲
【補正対象項目名】全文
【補正方法】変更
【補正の内容】
【実用新案登録請求の範囲】
【請求項１】
第１端、前記第１端に対向する第２端、および前記第１端ならびに前記第２端に連接する発光表面を有するサイド発光フレキシブル導光ロッドと、
それぞれ前記第１端および前記第２端のそばに配置されるとともに、それぞれ光線ビームを前記サイド発光フレキシブル導光ロッドへ発射することに適した２つの発光ダイオード（ＬＥＤ）と、
レンズの１つが前記第１端および前記第１端のそばに配置されたＬＥＤ間に位置し、レンズの他の１つが前記第２端および前記第２端のそばに配置されたＬＥＤ間に位置する２つのレンズと
を備え、
各光線ビームがそれぞれ対応する前記レンズを介して前記サイド発光フレキシブル導光ロッドへ進入するとともに、前記発光表面を介して前記サイド発光フレキシブル導光ロッドの外側へ発射されるフレキシブル発光装置。
【請求項２】
前記ＬＥＤの輝度がその最大輝度の半分である時、前記ＬＥＤの視角が１３０度より大きくないものである請求項１記載のフレキシブル発光装置。
【請求項３】
前記レンズが前記光線ビームを焦点合わせする機能を有するとともに、その焦点距離が２０ミリメートルより長くないものである請求項１記載のフレキシブル発光装置。
【請求項４】
前記レンズの材料が、ガラス、プラスチックまたは樹脂である請求項１記載のフレキシブル発光装置。
【請求項５】
前記各レンズの表面が、それぞれ光学薄膜により蒸着されるとともに、前記光学薄膜が所定波長により色彩光線ビームを濾過するために又は所定波長により色彩光線ビームを通過させるために使用されるものである請求項１記載のフレキシブル発光装置。
【請求項６】
前記各レンズおよびそれに対応する前記ＬＥＤ間の距離が１．５ミリメートルより長くないものである請求項１記載のフレキシブル発光装置。
【請求項７】
更に、２つの光学フィルターを備え、前記各光学フィルターがそれぞれ前記１つのレンズおよびそれに対応するＬＥＤ間、または前記レンズおよび前記サイド発光フレキシブル導光ロッド間に配置されるものである請求項１記載のフレキシブル発光装置。
【請求項８】
前記各レンズおよび前記サイド発光フレキシブル導光ロッド間の距離が１．５ミリメートルより長くないものである請求項１記載のフレキシブル発光装置。
【請求項９】
前記サイド発光フレキシブル導光ロッドが、
前記サイド発光フレキシブル導光ロッドの前記第１端から第２端へ延伸する導光コアと、
前記導光コアを包囲するとともに、前記サイド発光フレキシブル導光ロッドの前記第１端から第２端へ延伸する発光層とを備え、可視光線に対する前記導光コアの屈折率が前記可視光線に対する前記発光層の屈折率より大きいものである請求項１記載のフレキシブル発光装置。
【請求項１０】
前記導光コアの材料が、異なる比率でのメチルメタクリレート（ＭＭＡ）、ノーマルブチル（ボルニル）メタクリレート（ＢＭＡ）およびトリエチレングリコールジメタクリレート（３ＥＧＤＭＡ）より形成される共重合体ＭＭＡｘＢＭＡｙ３ＥＧＤＭＡ１−ｘ−ｙであり、ｘおよびｙが正数、そして０．２２≦ｘ≦０．３５ならびに０．４５≦ｙ≦０．６３である請求項９記載のフレキシブル発光装置。
【請求項１１】
前記発光層の材料が、テトラ・フロロ・エチレン、パーフルオロ・アルコキシ、またはフッ素化プロピレンエチレンである請求項９記載のフレキシブル発光装置。
【請求項１２】
直径６〜１５マイクロメートルおよび０．０１％〜０．０３％の重量パーセントを有するメチルメタクリレートスチレン（ＭＳ）の顆粒が、前記導光コア中にドープされ、かつ均一に分布されるものである請求項９記載のフレキシブル発光装置。
【請求項１３】
前記発光層が、カラーパウダーを有するものである請求項９記載のフレキシブル発光装置。
【請求項１４】
更に、２つのパッケージハウジングを備えて、前記各パッケージハウジングがそれぞれ前記ＬＥＤの１つ及びそれに対応する前記レンズを収容するために使用されるものである請求項１記載のフレキシブル発光装置。
【請求項１５】
更に、２つの固定ベースを備えて、前記各固定ベースがそれぞれ対応する前記パッケージハウジングに連接され、前記パッケージハウジングが前記固定ベースの湾曲により基礎に固定され、前記ＬＥＤにより発生した熱が前記基礎を介して環境中へ放出される請求項１４記載のフレキシブル発光装置。
【請求項１６】
前記各固定ベースが、対応する前記パッケージハウジングと一体的に形成されるものである請求項１５記載のフレキシブル発光装置。